(57)【要約】【課題】  周囲との調和を図れ、また、耐腐食性にも富む地上設置型格納措置の提供を課題とする。また、耐腐食性に富む地上設置型格納装置を安価に提供することを課題とする。【解決手段】  電気設備（例えば、変圧器）を格納するための地上設置型格納装置１であって、電気設備を内包する格納箱２と、この格納箱２の上部を塞ぐ天板２ａと、天板２ａの上方にベンチ３０を支持する支持部１０とを備え、支持部１０は、天板２ａの上方にベンチ３０を支持した状態で、この天板２ａとベンチ３０の間に空隙Ｋを確保していることを特徴とする。【選択図】  図１
2004343033.tif 000002
【特許請求の範囲】
【請求項１】
電気設備を格納するための地上設置型格納装置であって、
前記電気設備を内包する格納箱と、この格納箱の上部を塞ぐ天板と、前記天板の上方に構造物を支持する支持部とを備え、
前記支持部は、前記天板の上方に構造物を支持した状態で、前記天板と前記構造物との間に空隙を確保していることを特徴とする地上設置型格納装置。
【請求項２】
前記天板には、この天板上の水を天板外に排水する水勾配が設けられていることを特徴とする請求項１に記載の地上設置型格納装置。
【請求項３】
前記水勾配は、前記天板の中央部から前記天板の縁部に向かって下る天板表面の斜面によって構成されていることを特徴とする請求項２に記載の地上設置型格納装置。
【請求項４】
前記天板の裏面側には、この天板との間に隙間をあけて補強部材が支持され、且つこの隙間には、この隙間の幅にほぼ等しい厚みのスペーサが設けられ、
前記支持部は、前記天板を貫通して前記スペーサに連結する連結部材によって前記天板側に固定されていることを特徴とする請求項１から３の何れかに記載の地上設置型格納装置。
【請求項５】
前記スペーサは、前記補強部材に固定されていることを特徴とする請求項４に記載の地上設置型格納装置。
【請求項６】
前記支持部は、この支持部に対する前記連結部材の貫通を許容する貫通孔を有し、さらに前記支持部には、前記連結部材の進入を許容し得る間口で前記支持部の外方から前記貫通孔に達する切込みが形成されていることを特徴とする請求項４又は５に記載の地上設置型格納装置。
【請求項７】
前記支持部は、前記構造物を前記天板に対して着脱自在に連結していることを特徴とする請求項１から６の何れかに記載の地上設置型格納装置。
【請求項８】
前記構造物は、椅子、植物収容容器、情報表示盤、モニュメントの何れかであることを特徴とする請求項１から７の何れかに記載の地上設置型格納装置。
【発明の詳細な説明】
【技術分野】
【０００１】
本発明は、地上設置型格納装置に関し、好適には、地上に露出した電気設備を格納する地上設置型格納装置に関する。
【背景技術】
【０００２】
電線の地中化工事が盛んに行われる中、例えば、その地上部に設置される変圧設備及び配電設備などの設置に於いても種々の取り組みがなされている。
また、この取り組みの一例として、例えば、下記特許文献１に示す付加設備一体型の地上機器装置が提案されている。
【０００３】
この地上機器装置は、地上機器を収容する格納箱体と一体に、ベンチ等の付加設備を備え、例えば、この格納箱体を歩道沿いに設置して付加設備（ベンチ）に見立てることで、周囲との調和を図っている。
【０００４】
より詳しくは、変圧器及び開閉器等を収設する格納箱体上に、付加設備たるベンチの腰掛け部を載置し、さらにこの腰掛け部に背凭れ部を結合することで、見掛け上、付加設備一体の格納箱体を得ている。
【特許文献１】特開２０００−１８８８１８号公報
【発明の開示】
【発明が解決しようとする課題】
【０００５】
ところで、本発明者の鋭意研究によれば、上述した従来の地上機器装置について種々の改善すべき点が見出された。
【０００６】
まず、注目すべき点として、従来の地上機器装置は、格納箱体上に腰掛け部を載置するため、この腰掛け部と格納箱体との間に雨滴等が染み込み、格納箱体に腐食（錆）を生じさせる虞がある。
【０００７】
とりわけ、この種の地上機器装置は屋外で使用され、また、その内部には変圧器や開閉器等の電気設備が収容されていることから、格納箱体の腐食、並びに腐食に伴う漏水等については、十分に考慮する必要がある。
【０００８】
また、更なる着目点として、従来の地上機器装置は、格納箱体そのものをベンチ（付加設備）の支持部材として利用するため、剛性に富む肉厚の板材を用いて格納箱体を堅牢に製作せざる得ず、材料コストや加工コスト等を考えた場合には、その材料選択にあたり、耐腐食性に富むステンレス材等に較べて安価な鉄材の選択を余儀なくされていた。
つまり、従来の構造は、耐腐食性に富むステンレス材の使用時には、大幅なコスト増を招く構造であり、この点においても改善の余地がある。
【０００９】
本発明は、このような技術的背景を考慮してなされたもので、周囲との調和を図れ、また、耐腐食性にも富む地上設置型格納装置の提供を課題とする。また、耐腐食性に富む地上設置型格納装置を安価に提供することを課題とする。
【課題を解決するための手段】
【００１０】
上記した技術的課題を解決するために、本発明では、以下の構成とした。
すなわち、本発明は、電気設備を格納するための地上設置型格納装置であって、
前記電気設備を内包する格納箱と、この格納箱の上部を塞ぐ天板と、前記天板の上方に
構造物を支持する支持部とを備え、
前記支持部は、前記天板の上方に構造物を支持した状態で、前記天板と前記構造物との間に空隙を確保していることを特徴とする。
【００１１】
このように構成された本発明の地上設置型格納装置は、格納箱の内方に電気設備を収容している。また、格納箱には、この格納箱の上部を塞ぐ天板が設けられている。また、天板の上方には、支持部によって構造物が支持されている。また、支持部は、構造物を支持した状態で、この構造物と天板との間に空隙を形成している。
従って、構造物と天板の間に十分な通気性が確保されることから、天板の腐食を抑制しつつ、天板の上方に構造物を設置することが可能になる。
【００１２】
また、前記天板には、この天板上の水を天板外に排水する水勾配が設けられている構成であってもよい。
この構成によれば、天板上の水を排水するための水勾配（排水用の勾配）が天板に設けられている。このため、この水勾配による排水性の向上と、構造物と天板との間に確保された空隙による通気性の向上から、天板の耐腐食性を、より一層向上させることが可能になる。
【００１３】
また、前記水勾配は、前記天板の中央部から前記天板の縁部に向かって下る天板表面の斜面によって構成するのが望ましい。
【００１４】
この構成によれば、天板の中央部から天板の縁部に向かって下る斜面によって、天板の表面に水勾配が確保される。このため、例えば、天板を一方向に全体的に傾けて斜度を確保する場合に較べて、天板の表面の高低差を減らしつつ、斜度の大きな水勾配を天板の表面に確保することができる。また、さらに加えて、天板の表面には、天板の中央部から天板の縁部に向かって下る斜面が形成されることから、天板の表面はその頭頂部において非平滑面となり、以て、天板の曲がりや歪みに対する天板の強度を高く保つことが可能になる。
なお、上記で天板の中央部とは、点で定められる中央の他、例えば、中心線等で定められる中央をも含む概念である。
【００１５】
また、前記天板の裏面側には、この天板との間に隙間をあけて補強部材が支持され、且つこの隙間には、この隙間の幅にほぼ等しい厚みのスペーサが設けられ、
前記支持部は、前記天板を貫通して前記スペーサに連結する連結部材によって前記天板側に固定されている構成であってもよい。
【００１６】
この構成では、天板の裏面に補強部材が支持されている。また、支持部を通じて天板にかかる荷重は、天板と補強部材の間に介在するスペーサを介して補強部材に伝達される。
したがって、天板にかかる荷重は補強部材で受け止められることになり、本地上設置型格納装置の外殻に相当する天板及び格納箱に対する直接的な荷重の付加が回避される。よって、薄肉のステンレス板等を天板及び格納箱の材料として積極的に用いることが可能になる。
また、一方の補強部材は、天板及び格納箱の内部に格納されるため、防水能（密閉性）を有する必要性がなく、その形状及び構造は簡易なもので足りる。
【００１７】
このように本構成の採用によれば、耐腐食性に富む薄肉のステンレス材を積極的に採用することができ、しかも補強構造も簡易なもので足りることから、これら両者の相乗効果によって、耐腐食性に富む地上設置型格納装置を安価に得ることができる。なお、上記で「隙間の幅にほぼ等しい厚み」とは、天板の塑性変形を防止し得る厚みで足り、必ずしも隙間の幅に一致していなくてもよい。
【００１８】
また、前記スペーサは、前記補強部材に固定されている構成であってもよい。
この構成では、補強部材にスペーサが固定されているため、スペーサに作用する垂直荷重の他、スペーサに作用する曲げ応力等も補強部材で受け止めることができる。よって、天板にかかる負荷が更に減り、天板の更なる薄肉化を図ることができる。
【００１９】
また、前記支持部は、この支持部に対する前記連結部材の貫通を許容する貫通孔を有し、さらに前記支持部には、前記連結部材の進入を許容し得る間口で前記支持部の外方から前記貫通孔に達する切込みが形成されている構成であってもよい。
【００２０】
この構成によれば、支持部は、この支持部に形成される貫通孔を通る連結部材によって天板側に固定されている。また、貫通孔には、連結部材の進入を許容し得る間口で貫通孔に達する切込みが形成されている。
このため、例えば、連結部材を天板側に仮止めし、貫通孔に通じる切り込みを利用して支持部を連結部材に向かってスライドさせることで、天板と支持部の位置決めを行う等の組み付け方法を適宜採用することが可能になる。また、この切り込みによって貫通孔に幾分の遊びが確保されることから、施工時において支持部の位置を微調整することができるなどの利点も得られる。
【００２１】
また、前記支持部は、前記構造物を前記天板に対して着脱自在に連結している構成であってもよい。
【００２２】
この構成によれば、構造物が支持部によって天板に着脱自在に連結されるため、設置対象たる構造物を選択・変更する際には、この支持部に於いて構造物を容易に取り替えることができる。
【００２３】
また、前記構造物は、椅子、植物収容容器、情報表示盤、モニュメントの何れかであることが望ましい。ここで例示した構造物は、路肩、及び歩道等への設置時に於いてその環境に馴染み易く、また、美観の向上及び歩行者等の便宜を図ることもできる。
【００２４】
なお、椅子とは、腰掛けとしての機能を満たせばよく、その形状等が問われるものではない。また、植物収容容器は、植物栽培容器（プランター）の他、造花等を飾り付けるための容器等を含んでもよい。また、情報表示盤にて表示すべき情報も適宜設定できるものである。なお、好適には、案内図、地図等の情報が望ましい。また、モニュメントには、アート作品、芸術作品等が含まれてもよい。
【発明の効果】
【００２５】
以上、本発明によれば、周囲との調和を図れ、また、耐腐食性にも富む地上設置型格納措置を提供することができる。また、耐腐食性に富む地上設置型格納装置を安価に提供することが可能である。
【発明を実施するための最良の形態】
【００２６】
以下、本発明に係る地上設置型格納装置の好適な実施形態として、ベンチ（長椅子）としての機能を備えた実施形態について説明する。
【００２７】
＜第１の実施の形態＞
まず、本発明、第１の実施の形態に示す地上設置型格納装置１は、地上に露出した電気設備（図示せず）を内包する格納箱２と、この格納箱２の上部を塞ぐ天板２ａを備え、天板２ａの上方には、複数の支持部１０によって構造物たるベンチ３０が支持されている。
【００２８】
格納箱２は、耐腐食性に富むステンレス製のボックスであり、その内部には、地中配線から延びる分岐配線に接続された変圧器及び開閉器等の電気設備が収容されている。
また、格納箱２の正面には、メンテナンス用の開口扉２ｂが設けられ、この開口扉２ｂを開けて各種電気設備のメンテナンスや操作が行えるようになっている。
【００２９】
天板２ａは、格納箱２と同様に、耐腐食性に富むステンレス板から構成されている。また、天板２ａは、ボックス形状をなす格納箱２の上蓋として格納箱２の上部に組み付けられている。また、天板２ａの上面には、図３に示すように、天板２ａの奥手を水上（上流）とした水勾配が形成され、天板２ａ上の水は、この水勾配によって天板２ａの手前に排水されるようになっている。
【００３０】
また、天板２ａの裏面側には、図４に示すように、補強部材として補強板４ａが支持されている。
この補強板４ａは、格納箱２の内方に別途設けられた内部格納箱４の天板に相当し、格納箱２に較べて幾分肉厚の鉄板等で形成されている。また、この内部格納箱４の側壁によって、天板２ａの裏面側（下方）に補強板４ａが支持されている。
【００３１】
また、天板２ａと補強板４ａとの間には、図４に示すように隙間Ｗが確保されており、この隙間Ｗには、隙間Ｗの厚みにほぼ等しいスペーサ６が設けられている。また、スペーサ６は、補強板４ａの上面に溶接固定されている。
【００３２】
支持部１０は、図４に示すように天板２ａ上に固定される内筒１１と、ベンチ３０から延びる外筒２１とを備え、ベンチ３０は、その腰掛け部３０ａの裏面において支持部１０に支持されている。また、この支持部１０によって、ベンチ３０の腰掛け部３０ａと天板２ａとの間に空隙Ｋ（図２参照）が確保された状態でベンチ３０が天板２ａの上方に支持されることになる。
【００３３】
内筒１１は、図４に示すように、天板２ａの上方に向かって延びる筒本体１２と、その基部（下端）に溶接固定されたフランジ１３とを備えている。
また、フランジ１３には、内筒１１と天板２ａとの固定に用いられる固定ボルトＢ１の貫通を許容する貫通孔１３ａが形成されている。
【００３４】
なお、固定ボルトＢ１は、フランジ１３及び天板２ａを貫通して天板裏面のスペーサ６に達する十分な長さを備え、また、スペーサ６には、ボルト締結穴６ａが形成されており、このフランジ１３及び天板２ａを貫通して天板裏面のスペーサ６に締結される固定ボルトＢ１によって、内筒１１が天板２ａに固定されている。
【００３５】
また、フランジ１３の下面には、フランジ１３と天板２ａとの接触に起因した貰い錆を抑制するゴム製のプレート１４が設けられている。また、天板２ａとフランジ１３との間に、このゴム製のプレート１４を介在させることで、天板２ａとフランジ１３との接触状態を良好に保ち、製作誤差等に起因した内筒１１の傾きや、天板２ａの傾斜に起因した内筒１１の傾き等を吸収している。
【００３６】
一方、外筒２１は、ベンチ３０の脚部を兼ね、内筒１１に連結される下端のみが開口した筒状をなしている。また、その開口端の口径すなわち外筒２１の内径は、内筒１１の外径に較べて幾分大きく、ベンチ３０の設置時には、この外筒２１が内筒１１に外嵌してベンチ３０の位置決めがなされる。また、外筒２１の外方から内筒１１に達するネジＢ２によって外筒２１と内筒１１とが固定されている。
【００３７】
また、本実施の形態では、これら外筒２１及び内筒１１を備えた支持部１０の寸法設定
にあたり、その強度は勿論のこと、天板２ａ上面の通気性をも考慮に入
れて各種値を決定している。
より詳しくは、ベンチ３０の腰掛け部３０ａと天板２ａとの間に確保する空隙Ｋの幅（高さ方向の寸法）と、この空隙Ｋを得るが故に必要な支持部１０の剛性等を考慮して、外筒２１及び内筒１１の長さや外径を設定している。また、同様に、支持部１０の設置数や配置等も適宜選択されている。
【００３８】
このように本実施の形態に示す地上設置型格納装置１は、電気設備を内包する格納箱２と、この格納箱２の上部を塞ぐ天板２ａと、天板２ａの上方にベンチ３０を支持する支持部１０を備え、この支持部１０によってベンチ３０と天板２ａとの間に空隙Ｋを確保している。また、本実施形態では、この空隙Ｋによって確保されるスペースを利用して、天板２ａに水勾配を確保している。
【００３９】
よって、天板２ａとベンチ３０（腰掛け部）との間に十分な通気性が確保され、また、良好な排水性も得られることから、ベンチ３０の設置に起因した天板２ａ等の腐食を効率良く抑制することができる。また、この空隙Ｋによって、変圧器の熱気や振動も軽減されるため、ベンチ３０としての機能性も向上させることが可能になる。
【００４０】
また、支持部１０を通じて天板２ａにかかる荷重は、スペーサ６を介して天板裏面側の補強板４ａに伝達される。このため本地上設置型格納装置１の外殻に相当する天板２ａ及び格納箱２には、さほど荷重がかからず、天板２ａ及び格納箱２の強度を必要に応じて適切値に低下させることが可能になる。したがって、従来の構造ではその採用が難しかった薄肉のステンレス板を天板２ａ及び格納箱２の材料として積極的に用いることができ、この点においても、高い耐腐食性を得ることができる。
【００４１】
また、本実施の形態では、スペーサ６を補強板４ａに固定しているため、スペーサ６に作用する垂直荷重の他、支持部１０の基部周りに作用する曲げ応力等もスペーサ６を通じて補強板４ａで吸収することができ、この点においても、天板２ａのさらなる薄肉化を図ることができる。
【００４２】
また、天板２ａの補強に相当する補強板４ａや内部格納箱４は、天板２ａ及び格納箱２の内部に格納されるため、特に防水能（密閉性）を有する必要性がなく、例えば、安価な鋼製のアングル等をやぐら状に組み上げたものなど、その形状及び構造に於いて簡略化を図れる。また、上述の如く本地上設置型格納装置１では、薄肉のステンレス板を積極的に採用することができることから、これら薄肉ステンレス板の積極的な採用と、補強の簡略化の相乗効果により、耐腐食性に富む構造を安価に得ることが可能である。
なお、勿論、天板２ａ及び格納箱２には鉄板等を用いることもでき、この場合には、鉄板の肉厚を薄くできるとの理由から、制作コストを減らすことができる。
【００４３】
また、支持部１０は、天板２ａ上に立設した内筒１１と、この内筒１１に外嵌する外筒２１とを備えるため、内筒１１の内部は、外筒２１によって外部から隔離される。したがって、内筒１１の内方に形成された貫通孔１３ａからの漏水を抑制することができる。
【００４４】
またさらに、支持部１０は、上述の如くその構造上、高い防水能を得ることができるため、天板２ａと内筒１１との連結において、ボルトを用いた締結構造を採用できる。よって、ボルトを用いた締結構造を積極的に採用できることから、天板２ａと内筒１１（支持部）を容易に分割及び接続でき、内筒１１のサイズ変更及び設置対象たる構造物の変更等、各種仕様への対応も容易である。
【００４５】
このように本地上設置型格納装置１では、耐腐食性や防水性を得る上で、種々の工夫が
施されている。
なお、上記した実施の形態に示す構造は、あくまでも本発明の一実施形態であり、その詳細は、所望に応じて適宜変更することができる。
【００４６】
以下、図５から図１１を参照して、その一変更例を本発明の第２の実施の形態として説明する。
また、本発明第２の実施の形態に示す構造は、例えば、支持部１０の部品点数を減らすべく考えられたものであり、その他の構造の多くは、上述の第１の実施の形態に準ずる。よって、以下の説明では同一部分に同一符号を付し、その説明を簡略化する。
【００４７】
＜第２の実施の形態＞
本発明、第２の実施の形態に示す地上設置型格納装置１は、本発明に係る支持部１０の構造、並びに天板２ａの形状を上述の第１の実施の形態と異にしている。
【００４８】
より詳しくは、内筒１１及び外筒２１等で構成された支持部１０が、台形形状をなすブラケット２００で構成され、また、天板２ａの奥を水上として天板２ａに形成される水勾配が、天板２ａの中央部から天板２ａの手前並びに天板２ａの奥に向かって下る天板表面の斜面によって構成されている。
【００４９】
まず、ブラケット２００は、図５及び図６に示すように、両端部２０１ａが同一方向に折り曲げられた基板２０１と、この基板２０１の端部間に架設された保持板２０２と、基板２０１と保持板２０２との間に確保される空間Ｓを外部から隔離する台形形状の前面カバー２０３及び背面カバー２０４を備えて構成されている。
【００５０】
また、これら基板２０１等は、ステンレス等の耐腐食性に富む素材で形成されており、本実施の形態では、保持板２０２と背面カバー２０４を基板２０１に溶接して、ほぼ箱状のブラケット２００を得ている。
【００５１】
また、前面カバー２０３は、ブラケット２００内に確保される空間Ｓを外部から隔離するための蓋に相当する。また、本実施の形態では、この前面カバー２０３をビス２０３ａを用いて基板２０１に固定し、必要に応じて前面カバー２０３をブラケット２００から容易に取り外せるようにしている。なお、図５中２０１ｂは、ビス２０３ａの取り付け孔である。
【００５２】
また、ブラケット２００内の空間Ｓは、ブラケット２００と天板２ａの固定に用いる固定ボルトＢ１の締め付けに要する作業空間に相当し、固定ボルトＢ１を用いたブラケット２００と天板２ａの固定は、このブラケット２００内に確保された作業空間の内部で行われることになる。
【００５３】
より詳しくは、作業空間（空間Ｓ）の内部に臨む基板２０１の中央に固定ボルトＢ１の貫通孔２０１ｃが設けられ、基板２０１は、第１の実施形態と同様に、天板２ａを貫通して天板裏面のスペーサ６に達する固定ボルトＢ１によって天板２ａ側に締着されている。
【００５４】
また、図７に示すように、貫通孔２０１ｃの直上に臨む保持板２０２には、工具（例えば、両口ラチェット）を用いた固定ボルトＢ１の締付作業を容易にするための円形の開口部２０２ａが形成されている。より詳しくは、この開口部２０２ａによって、固定ボルトＢ１の上方に工具の作業スペースを確保し、作業空間内での固定ボルトＢ１の締付作業時における工具と保持板２０２の干渉を回避している。
【００５５】
そして、保持板２０２の表面側（上面）にネジ２０５を用いてベンチ３０の腰掛け部３
０ａが固定されている。
なお、腰掛け部３０ａと保持板２０２の固定にあたり、本実施の形態では、ゴム製の緩衝材２０６を間に挟んでネジ２０５を締め付けている。このゴム製の緩衝材２０６は、保持板２０２の表面に対する腰掛け部３０ａの接触状態を良好にすると共に、保持板２０２に形成される開口部２０２ａからの漏水を遮断している。
【００５６】
また、本実施の形態でも同様に、天板２ａと支持部１０（ブラケット２００）の接触面に相当する基板２０１の下面側にゴム製のプレート２０７を設け、このゴム製のプレート２０７を天板２ａとブラケット２００の間に挟み込んだ状態で、ベンチ３０と共にブラケット２００を天板２ａ側に固定している。
【００５７】
また、このプレート２０７に加えて、本実施の形態では、このゴム製のプレート２０７の厚みにほぼ等しいステンレス製のスペーサ２０６を基板２０１の下面側に設けて固定ボルトＢ１を締め付けている。
このスペーサ２０６は、図８に示すように略矩形をなすゴム製のプレート２０７に形成された円形の切抜き部分２０７ａに埋設された状態で、プレート２０７と共に天板２ａ側に締め付けられる。
【００５８】
また、このスペーサ２０６が天板２ａと基板２０１との間に介在することで、固定ボルトＢ１の締め付けに伴うプレート２０７の過剰な変形が抑制され、また、経年劣化に伴うプレート２０７の厚みの減少（痩せ）に起因した固定ボルトＢ１の緩み等も抑制することが可能になる。
【００５９】
続いて、支持部１０たるブラケット２００が固定される天板２ａについて詳述する。
図９及び図１０に示すように、天板２ａは長方形状をなし、この天板２ａの表面に確保される水勾配は、天板２ａの長手方向に延びる中心線Ｃを頂（頭頂部）として、天板２ａの手前側に位置した縁部２ｃ、並びに天板２ａの奥に位置した縁部２ｄに向かって下る２つの斜面によって構成されている。
このためベンチ３０から天板２ａ上に滴り落ちた雨滴等は、天板２ａの手間側及び天板２ａの奥の何れかに向かって排水されることになる。
【００６０】
また、このように構成された水勾配は、天板２ａの表面における高低差を減らしつつ、斜度の大きな水勾配を得る上で有利である。なお、図１１は、天板２ａの表面形状の相違に伴う斜度の違いを示す比較図である。
【００６１】
この図１１からも理解できるように、天板２ａの高低差ｈを設計上の上限値として水勾配を確保した場合、天板２ａの一方の縁部から他方の縁部に向かって下る斜面（図中一点鎖線参照）を天板２ａに形成したときには、水平線Ｐに対して斜度θ１で傾斜する斜面ａが天板２ａの表面に形成される。
【００６２】
一方、本実施の形態に示すように、天板２ａの中心線Ｃを頂として天板２ａの縁部に向かって下る斜面ｂ（図中実線）を天板２ａに形成したときには、斜度θ１に較べてきつい斜度θ２の斜面ｂが得られる。
このように本実施の形態に示す天板２ａの表面形状は、天板２ａの高低差を抑えつつも、斜度の大きな水勾配を天板２ａの表面に確保することが可能である。
【００６３】
また、上記水勾配の形成に係る天板２ａの構造は、天板２ａの曲がりや歪みに対する強度を強く保つ上でも有利である。より詳しくは、天板２ａの表面に、例えば、曲げ加工によって中心線Ｃを形成すると、この中心線Ｃの形成に伴い、天板２ａの表面が中心線Ｃの設けられる箇所において非平滑面となり、結果として、この中心線Ｃが簡易なリブの役目
を果たすことになり、天板２ａに張りを与えることが可能になる。また、天板２ａに張りを与えることが可能になるため、天板２ａの細部の加工においても、加工時における天板２ａの不必要な変形を抑制することが可能になる。
【００６４】
このように本発明の地上設置型格納装置１は、その構造に於いて種々の変更が可能である。また、上記した第１の実施の形態、並びに第２の実施の形態に示す変更例の他、下記に示す変更例等も一例として考えられる。
【００６５】
例えば、図１２に示すように、固定ボルトＢ１の進入を許容し得る間口で貫通孔２０１ｃに達する切込み２１０を基板２０１やプレート２０７、並びにスペーサ２０６に形成しておき、ブラケット２００を天板２ａに固定する際には、固定ボルトＢ１を予め天板２ａ側に仮付けし、この固定ボルトＢ１の頭と天板２ａとの間に基板２０１をスライドさせるように挿入して、固定ボルトＢ１とブラケット２００の締結を可能にしてもよい。そして、この状態で、固定ボルトＢ１を締め付けて、ブラケット２００を天板２ａ側に締着する。
この例では、ベンチ３０の設置後における固定ボルトＢ１の取付け作業を省略することができるため、作業の効率化を図ることができる。また、切込み２１０等の向きは、所望に応じて変更することができる。
【００６６】
また、水勾配の形成にあたり、第１の実施の形態では天板２ａの手前に下る斜面によって水勾配を構成し、第２の実施の形態では、天板２ａの長手方向に延びる中心線Ｃを頂として、天板２ａの手前及び奥に下る斜面を構成しているが、例えば、天板２ａの手前から奥に向かって排水する向きで形成された斜面、また、天板２ａの左右両サイドに排水する向きで形成された斜面、さらには、天板２ａの中心から天板２ａの縁部に向かって下る放射状の斜面等、水勾配の向きは、任意に変更することが可能である。
【００６７】
また、上記した実施形態では、天板２ａ及び格納箱２の基材として、薄肉のステンレス材を採用したが、必ずしもその必要はなく、ステンレス材に換わる他の材料を採用することも可能である。
【００６８】
また、本実施の形態では、構造物としてベンチ３０を例示したが、必ずしもその必要はなく、例えば、プランタ（植物収容容器）４０（図１３参照）、及び情報表示盤５０（図１４参照）、モニュメント等、種々の構造物を起用することも可能である。
【００６９】
なお、プランタ４０を組み合わせる場合には、上記同様、支持部１０によってプランタ４０と天板２ａの間に空隙Ｋが確保されるため、変圧器の熱気に起因した栽培土の乾燥を抑制できるといった利点も得られる。また、情報表示盤５０を組み合わせる場合には、情報表示盤５０の背後照明等に於いて、先に説明した内筒１１やブラケット２００の内方を通じての配線が可能であり、その配線の防水性の向上を図れる。
【００７０】
また、上記では、電気設備として変圧器及び開閉器等を例示したが、例えば、導線むき出しの充電部や地上に露出した地中配線等の収容も可能である。すなわち、収容すべき電気設備は、所望に応じて変更可能である。
【図面の簡単な説明】
【００７１】
【図１】第１の実施の形態に示す地上設置型格納装置を斜め上方から見た斜視図。
【図２】第１の実施の形態に示す地上設置型格納装置の正面図。
【図３】第１の実施の形態に示す地上設置型格納装置の側面図。
【図４】第１の実施の形態に示す支持部を地上設置型格納装置の側方から捉えた要部断面図。
【図５】第２の実施の形態に示す支持部（ブラケット）を地上設置型格納装置の正面から捉えた要部断面図。
【図６】第２の実施の形態に示す支持部を地上設置型格納装置の側方から捉えた要部断面図。
【図７】第２の実施の形態に示す支持部単品を斜め上方から見た斜視図。
【図８】第２の実施の形態に示す支持部の底面図。
【図９】第２の実施の形態に示す天板を斜め上方から見た斜視図。
【図１０】第２の実施の形態に示す地上設置型格納装置の側面図。
【図１１】天板の表面形状の相違に伴う斜度の違いを示す比較図。
【図１２】貫通孔に達する切込みが形成された支持部の底面図。
【図１３】本発明の地上設置型格納装置に於いてプランタを適用した例を示す図。
【図１４】本発明の地上設置型格納装置に於いて情報表示盤を適用した例を示す図。
【符号の説明】
【００７２】
１  地上設置型格納装置
２  格納箱
２ａ  天板
２ｂ  開口扉
２ｃ  天板手前の縁部
２ｄ  天板奥の縁部
４  内部格納箱
４ａ  補強板
６  スペーサ
６ａ  ボルト締結穴
１０  支持部
１１  内筒
１２  筒本体
１３  フランジ
１３ａ  貫通孔
１４  プレート
２１  外筒
３０  ベンチ
３０ａ  腰掛け部
４０  プランタ
５０  情報表示盤
２００  ブラケット
２０１  基板
２０１ａ  基板の端部
２０１ｃ  貫通孔
２０２  保持板
２０２ａ  開口部
２０２ｂ  ビスの取り付け孔
２０３  前面カバー
２０３ａ  ビス
２０４  背面カバー
２０５  ネジ
２０６  スペーサ
２０６  緩衝材
２０７  プレート
２０７ａ  切抜き部分
２１０  切込み
Ｂ１  固定ボルト
Ｂ２  ネジ
Ｃ  天板の中心線
Ｋ  空隙
Ｐ  水平線
Ｓ  空間（作業空間）
Ｗ  隙間
【図１】
2004343033.tif 000003
【図２】
2004343033.tif 000004
【図３】
2004343033.tif 000005
【図４】
2004343033.tif 000006
【図５】
2004343033.tif 000007
【図６】
2004343033.tif 000008
【図７】
2004343033.tif 000009
【図８】
2004343033.tif 000010
【図９】
2004343033.tif 000011
【図１０】
2004343033.tif 000012
【図１１】
2004343033.tif 000013
【図１２】
2004343033.tif 000014
【図１３】
2004343033.tif 000015
【図１４】
2004343033.tif 000016